(57)【要約】【課題】吊下昇降式照明器具における器具本体の製品管理効率を低下させずに、器具本体を上昇させたときでも良好に遠隔制御しうる技術的手段を提供する。【解決手段】天井面に設置される吊持基部２と、吊持基部２から昇降可能に吊り下げられて吊持基部２と電気的に接続される器具本体３とを具備し、器具本体３の水平投影面積が吊持基部２の水平投影面積よりも大きくなるように形成された吊下昇降式照明器具において、吊持基部２にマイク１１と音声認識部とを具備する音声制御手段を設け、この音声制御手段が、人の声による点消灯及び昇降動作の命令音声を認識して器具本体３の点消灯及び昇降動作を制御するように構成する。【選択図】図１
2006286274.tif 000002
【特許請求の範囲】
【請求項１】
天井面に設置される吊持基部と、吊持基部から昇降可能に吊り下げられて吊持基部と電気的に接続される器具本体とを具備し、器具本体の水平投影面積が吊持基部の水平投影面積よりも大きくなるように形成された吊下昇降式照明器具において、
上記吊持基部にマイクと音声認識部とを具備する音声制御手段が設けられ、この音声制御手段が、人の声による点消灯及び昇降動作の命令音声を認識して器具本体の点消灯及び昇降動作を制御することを特徴とする吊下昇降式照明器具。
【発明の詳細な説明】
【技術分野】
【０００１】
本発明は、昇降機能を備えた吊下式の照明器具に関する。
【背景技術】
【０００２】
特許文献１に、昇降機能を備えた吊下式の照明器具が開示されている。この照明器具は、天井の引掛シーリングに取り付けられる上部取付体と、上部取付体に昇降可能に吊持される下部取付体と、下部取付体に取り付けられる器具本体とを具備し、上部取付体に設けられた駆動手段によって下部取付体が昇降するように構成されている。
【０００３】
この文献に記載された構成では、下部取付体の昇降と器具本体のランプの点消灯を遠隔操作するための手段として、赤外線を利用したリモコン装置を採用している。リモコン装置の受信部は、器具本体の下面略中央部に設けられている。
【特許文献１】特開２００２−１０９９４８号公報
【発明の開示】
【発明が解決しようとする課題】
【０００４】
遠隔操作によって昇降させる照明器具において、上記文献記載のように、赤外線リモコンの受信部を器具本体の下面に設けることは、赤外線信号をどの方向からでも良好に受信できるという点では合理的である。
【０００５】
しかし、ユーザーの趣味嗜好に応じて多様な種類の照明器具を用意しなければならない照明器具メーカーとしては、多種類の器具本体のそれぞれに赤外線リモコンの受信部を設けるのは、製品管理上、効率的ではない。そこで、器具本体の点消灯及び昇降装置の駆動を制御するための受信部を、天井に固定される上部取付体側に設けることが考えられる。これによると、器具本体に受信部を設けなくてもよいので、器具本体のコスト上昇を回避でき、照明器具メーカーとしての製品管理効率も良好になる。また、ユーザーにとっても、吊持する器具本体を多様な種類の中から自由に選択でき、その交換も手軽に行うことができるというメリットが生じる。
【０００６】
ところが、昇降式の照明器具において赤外線リモコンの受信部を上部取付体に設けた場合、受信部の設置位置によっては、器具本体を上昇させたときに受信部が隠れて下方からの赤外線信号を良好に受信できなくなるという不都合が生じる。とくに、天井面に固定される上部取付体は、意匠上の理由から、できるだけ目立たないよう器具本体よりも小型化することが望まれるので、赤外線信号の受信条件はさらに厳しいものとなる。
【０００７】
本発明は上記のような事情に鑑みてなされたもので、吊下昇降式照明器具における器具本体の製品管理効率を低下させずに、器具本体を上昇させたときでも良好に遠隔制御しうる技術的手段を提供するものである。
【課題を解決するための手段】
【０００８】
上記した目的を達成するため、本発明の吊下昇降式照明器具は、天井面に設置される吊持基部と、吊持基部から昇降可能に吊り下げられて吊持基部と電気的に接続される器具本体とを具備し、器具本体の水平投影面積が吊持基部の水平投影面積よりも大きくなるように形成された吊下昇降式照明器具において、上記吊持基部にマイクと音声認識部とを具備する音声制御手段が設けられ、この音声制御手段が、人の声による点消灯及び昇降動作の命令音声を認識して器具本体の点消灯及び昇降動作を制御することを特徴とする。
【発明の効果】
【０００９】
上述のように構成される本発明の吊下昇降式照明器具は、遠隔操作用の制御信号として音声を利用しているので、吊下げられた器具本体が上昇して天井に接近したときでも、赤外線リモコンに比べて安定した受信感度が得られる。マイクや音声認識部等からなる音声認識手段は、ユニット化するなどして吊持基部内に組み込むことができるので、吊持される器具本体に遠隔制御装置を組み込む場合に比べて、器具本体の構造を簡素化でき、器具本体のコスト上昇を防ぐことができる。また、これにより、吊持する器具本体を、ユーザーが多様な種類の中から自由に選択したり、手軽に交換したりすることが可能になる。さらに、器具本体の構造が簡素で済むことから、吊持基部に組み込まれる昇降装置の重量負担も小さくて済み、器具本体の昇降動作を軽快に維持することができる。
【発明を実施するための最良の形態】
【００１０】
以下、本発明の実施の形態について図を参照して説明する。
【００１１】
図１は本発明の実施形態に係る吊下昇降式照明器具の概略的な構成を示す。この吊下昇降式照明器具１は、天井面Ｃに設置される吊持基部２と、吊持基部２から昇降可能に吊り下げられる器具本体３とを具備し、器具本体３のほうが吊持基部２よりもはるかに大きな水平投影面積を有している。
【００１２】
器具本体３はワイヤ４を介して吊持基部２から吊下げられるとともに、電源線５を介して吊持基部２と電気的に接続される。吊持基部２には、ワイヤ４を巻き上げるモータを備えた駆動部６が組み込まれている。
【００１３】
器具本体３の点消灯と駆動部６の駆動は、吊持基部２に内蔵された制御回路を通じて制御される。図２に制御回路のブロック構成例を示す。制御回路は、音声制御手段を構成する音声認識回路１０と、駆動部６を制御する昇降回路２０と、器具本体３を制御する点消灯回路３０とに大別される。音声認識回路１０は、マイク１１、ノイズキャンセラ１２、増幅器１３、音声認識部１４、音声制御回路部１５を具備する。マイク１１は、吊持基部２の側面適所に集音面を露出して取り付けられている。マイク１１を通じて集音された音声信号は、ノイズキャンセラ１２にてノイズ成分が除去され、増幅器１３で増幅される。音声認識部１４は、増幅器１３で増幅された音声信号を、予め記憶された操作命令の音声パターンと比較して、命令内容を識別する。その識別技術は、公知従来の一般的な音声認識技術で足りる。
【００１４】
識別された命令内容に基づく制御信号は、音声制御回路部１５から昇降回路２０または点消灯回路３０に対して送出される。昇降回路２０は、電源に接続された電源回路部２１、音声制御回路部１５からの制御信号を処理する駆動制御回路部２２、駆動部６のモータを駆動する駆動回路部２３等を具備し、また、点消灯回路３０は、電源に接続された電源回路部３１、音声制御回路部１５からの制御信号を処理する発振制御回路部３２、器具本体３のランプを点消灯する発振回路部３３等を具備して、それぞれ音声制御回路部１５からの制御信号に基づき駆動部６または器具本体３を制御する。
【００１５】
このように、音声信号に基づく制御手段によって駆動部６及び器具本体３を制御することにより、吊下げられた器具本体３が上昇して天井面Ｃに接近した状態でも、赤外線リモコンに比べて良好な受信感度が得られる。本発明の吊下昇降式照明器具１に採用する音声制御手段は、ユーザーが吊持基部２に向かって所定の命令音声を発するだけで動作するように構成されるから、ユーザーの手元にリモコン送信機は必要なく、したがって、操作の都度、リモコン送信機を探すといった手間からも解放される。
【００１６】
なお、本発明の吊下昇降式照明器具１における吊持基部２及び器具本体３の詳細な構造や形状は、本発明の主旨を逸脱しない範囲で自由に変更可能である。また、音声制御手段によって制御される昇降回路２０や点消灯回路３０の構成も、上記形態に限定されるものではなく、器具の構成に応じて適宜変更可能である。
【図面の簡単な説明】
【００１７】
【図１】本発明の実施形態に係る吊下昇降式照明器具の概略構成図である。
【図２】本発明の実施形態に係る制御回路のブロック構成図である。
【符号の説明】
【００１８】
１    吊下昇降式照明器具
２    吊持基部
３    器具本体
１０  音声認識回路（音声制御手段）
１１  マイク
１４  音声認識部
Ｃ    天井面
【図１】
2006286274.tif 000003
【図２】
2006286274.tif 000004